(57)【要約】【課題】ＡＶ機器において、設定した予約についての実行をユーザの居場所に応じて決定するようにして無駄にそのＡＶ機器を動作させることがないように適切に処理する。【解決手段】ＡＶ機器１は、放送番組コンテンツを記録する記録予約を設定し、該設定した記録予約に従って記録処理を実行することが可能となっている。ＡＶ機器１は、予め登録された携帯端末機器３がＡＶ機器１の設置位置から所定範囲に存在するか否かを検出する機器検出部２２と、機器検出部２２での携帯端末機器３の検出結果に応じて、設定された記録予約をそのまま実行するか他の処理を行うかを決定する決定部２３と、を備える。【選択図】図１
2014011527.tif 000002
【特許請求の範囲】
【請求項１】
放送番組コンテンツを記録する記録予約を設定し、該設定した記録予約に従って記録処理を実行することが可能なＡＶ機器であって、
予め登録された携帯端末機器が前記ＡＶ機器の設置位置から所定範囲に存在するか否かを検出する機器検出部と、
該機器検出部での前記携帯端末機器の検出結果が検出できなかったことを示している場合には設定された記録予約をそのまま実行することを決定し、該検出結果が検出できたことを示している場合には他の処理を行うことを決定する決定部と、
を備えたことを特徴とするＡＶ機器。
【請求項２】
前記機器検出部は、前記検出を、前記設定された記録予約の実行日時の所定時間前になったときに実行することを特徴とする請求項１に記載のＡＶ機器。
【請求項３】
前記機器検出部は、前記検出を、無線通信を用いて実行することを特徴とする請求項１又は２に記載のＡＶ機器。
【請求項４】
前記他の処理は、前記設定された記録予約を取り消す処理であることを特徴とする請求項１〜３のいずれか１項に記載のＡＶ機器。
【請求項５】
前記他の処理は、前記設定された記録予約を取り消すか否かを前記携帯端末機器のユーザに問い合わせ、問い合わせの結果、取り消す旨のユーザ操作を受け取った場合には前記設定された記録予約を取り消し、取り消さない旨のユーザ操作を受け取った場合には前記設定された記録予約をそのまま実行する処理であることを特徴とする請求項１〜３のいずれか１項に記載のＡＶ機器。
【請求項６】
前記ＡＶ機器は、放送番組コンテンツを視聴する視聴予約を設定し、該設定した視聴予約に従って視聴処理を実行することが可能であり、
前記他の処理は、前記設定された記録予約を取り消すか否か、並びに前記視聴予約を設定する処理を代替処理として実行するか否かを、前記携帯端末機器のユーザに問い合わせ、問い合わせの結果、取り消す旨のユーザ操作を受け取った場合には前記設定された記録予約を取り消し、取り消さない旨のユーザ操作を受け取った場合には前記設定された記録予約をそのまま実行し、前記代替処理を実行する旨のユーザ操作を受け取った場合には前記設定された記録予約を取り消して前記代替処理を実行する処理であることを特徴とする請求項１〜３のいずれか１項に記載のＡＶ機器。
【請求項７】
前記ＡＶ機器は、放送番組コンテンツを視聴する視聴予約を設定し、該設定した視聴予約に従って視聴処理を実行することが可能であり、
前記決定部は、前記検出結果が検出できたことを示している場合には設定された視聴予約をそのまま実行することを決定し、前記検出結果が検出できなかったことを示している場合には他の処理を行うことを決定することを特徴とする請求項１〜６のいずれか１項に記載のＡＶ機器。
【請求項８】
前記機器検出部は、前記検出を、前記設定された視聴予約の実行日時の所定時間前になったときに実行することを特徴とする請求項７に記載のＡＶ機器。
【請求項９】
前記設定された視聴予約についての前記他の処理は、前記設定された視聴予約を取り消す処理であることを特徴とする請求項７又は８に記載のＡＶ機器。
【請求項１０】
前記設定された視聴予約についての前記他の処理は、前記設定された視聴予約を取り消すか否かを前記携帯端末機器のユーザに問い合わせ、問い合わせの結果、取り消す旨のユーザ操作を受け取った場合には前記設定された視聴予約を取り消し、取り消さない旨のユーザ操作を受け取った場合には前記設定された視聴予約をそのまま実行する処理であることを特徴とする請求項７又は８に記載のＡＶ機器。
【請求項１１】
前記設定された視聴予約についての前記他の処理は、前記設定された視聴予約を取り消すか否か、並びに前記記録予約を設定する処理を代替処理として実行するか否かを、前記携帯端末機器のユーザに問い合わせ、問い合わせの結果、取り消す旨のユーザ操作を受け取った場合には前記設定された視聴予約を取り消し、取り消さない旨のユーザ操作を受け取った場合には前記設定された視聴予約をそのまま実行し、前記代替処理を実行する旨のユーザ操作を受け取った場合には前記設定された視聴予約を取り消して前記代替処理を実行する処理であることを特徴とする請求項７又は８に記載のＡＶ機器。
【発明の詳細な説明】
【技術分野】
【０００１】
本発明は、放送番組コンテンツの視聴及び／又は記録の予約を行うことが可能なＡＶ機器に関する。
【背景技術】
【０００２】
従来から、テレビ放送番組を記録予約可能な記録装置や視聴予約可能なテレビ装置が流通している。この種のＡＶ（Audio Visual）機器では、ユーザが視聴したいチャンネルや番組名や時間帯の指定、並びに視聴予約か記録予約かの指定を含む予約情報を設定すると、その予約設定された予約情報に基づき、予約時間の到来により自動的に、視聴のためのＡＶデータ出力処理（視聴処理）やＡＶデータの記録処理を実行するようになっている。
【０００３】
特許文献１には、携帯端末装置（携帯端末機器）において、自宅外で番組サーバから電子番組表を取得し特定の番組について自宅内ＡＶ機器の制御予約情報を内部に保存し、その後、ＧＰＳ（Global Positioning System）等の位置検出手段により検出した自機の現在位置が自宅位置範囲内に入ったとき又は後、制御予約情報に従って近距離無線通信によりＡＶ機器の制御を行うことで、そのＡＶ機器への番組予約を設定することが開示されている。また、この携帯端末機器では、ＡＶ機器とインターネット等の外部ネットワーク経由で接続されていることを前提として、携帯端末機器が「自宅外」にあると判定された場合にはその外部ネットワーク経由でＡＶ機器の制御を行うことで、そのＡＶ機器への番組予約を設定している。
【先行技術文献】
【特許文献】
【０００４】
【特許文献１】特開２００２−２４７６５８号公報
【発明の概要】
【発明が解決しようとする課題】
【０００５】
ところで、従来のＡＶ機器の予約機能は、実行時点でユーザがどこに居るかを把握せずに実行している。なお、特許文献１に記載の技術も、番組の予約を行うための技術であるため、予約されると予約に係る処理の実行時点でユーザがどこに居るかに拘わらずその予約に係る処理がそのまま実行されることになる。
【０００６】
このため、従来のＡＶ機器の予約機能では、例えばユーザが外出中など離れた場所に居るのに視聴処理としてテレビ装置の電源を入れてしまったり、目の前でユーザが同じ番組を見ているのにレコーダ機器での不要な記録処理を実行してしまう場合がある。このような動作は、電力の無駄遣いになるだけでなく、場合によっては近隣住民への迷惑となることが考えられる。
【０００７】
一方で、外部ネットワークを介してＡＶ機器を操作して、予約を変更できるようにシステムを構成することも可能であるが、変更操作自体に手間がかかるため、ユーザが自発的に変更操作を行うことは期待できず、結局のところそのまま最初に設定した予約が実行されることになってしまう。
【０００８】
また、特許文献１に記載の技術では、ＡＶ機器への予約設定時に携帯端末機器の現在位置を位置検出手段により把握する必要があるため、これにより携帯端末機器において通信量が増加して電池消費量が増大するだけでなく、現在位置の判定を行う分だけの時間差が生じるといった問題もある。
【０００９】
本発明は、上述のような実状に鑑みてなされたものであり、その目的は、ＡＶ機器において、設定した予約についての実行をユーザの居場所に応じて決定するようにして無駄にそのＡＶ機器を動作させることがないように適切に処理することにある。
【課題を解決するための手段】
【００１０】
上記課題を解決するために、本発明の第１の技術手段は、放送番組コンテンツを記録する記録予約を設定し、該設定した記録予約に従って記録処理を実行することが可能なＡＶ機器であって、予め登録された携帯端末機器が前記ＡＶ機器の設置位置から所定範囲に存在するか否かを検出する機器検出部と、該機器検出部での前記携帯端末機器の検出結果が検出できなかったことを示している場合には設定された記録予約をそのまま実行することを決定し、該検出結果が検出できたことを示している場合には他の処理を行うことを決定する決定部と、を備えたことを特徴としたものである。
【００１１】
本発明の第２の技術手段は、第１の技術手段において、前記機器検出部は、前記検出を、前記設定された記録予約の実行日時の所定時間前になったときに実行することを特徴としたものである。
【００１２】
本発明の第３の技術手段は、第１又は第２の技術手段において、前記機器検出部は、前記検出を、無線通信を用いて実行することを特徴としたものである。
【００１３】
本発明の第４の技術手段は、第１〜第３のいずれか１の技術手段において、前記他の処理は、前記設定された記録予約を取り消す処理であることを特徴としたものである。
【００１４】
本発明の第５の技術手段は、第１〜第３のいずれか１の技術手段において、前記他の処理は、前記設定された記録予約を取り消すか否かを前記携帯端末機器のユーザに問い合わせ、問い合わせの結果、取り消す旨のユーザ操作を受け取った場合には前記設定された記録予約を取り消し、取り消さない旨のユーザ操作を受け取った場合には前記設定された記録予約をそのまま実行する処理であることを特徴としたものである。
【００１５】
本発明の第６の技術手段は、第１〜第３のいずれか１の技術手段において、前記ＡＶ機器は、放送番組コンテンツを視聴する視聴予約を設定し、該設定した視聴予約に従って視聴処理を実行することが可能であり、前記他の処理は、前記設定された記録予約を取り消すか否か、並びに前記視聴予約を設定する処理を代替処理として実行するか否かを、前記携帯端末機器のユーザに問い合わせ、問い合わせの結果、取り消す旨のユーザ操作を受け取った場合には前記設定された記録予約を取り消し、取り消さない旨のユーザ操作を受け取った場合には前記設定された記録予約をそのまま実行し、前記代替処理を実行する旨のユーザ操作を受け取った場合には前記設定された記録予約を取り消して前記代替処理を実行する処理であることを特徴としたものである。
【００１６】
本発明の第７の技術手段は、第１〜第６のいずれか１の技術手段において、前記ＡＶ機器は、放送番組コンテンツを視聴する視聴予約を設定し、該設定した視聴予約に従って視聴処理を実行することが可能であり、前記決定部は、前記検出結果が検出できたことを示している場合には設定された視聴予約をそのまま実行することを決定し、前記検出結果が検出できなかったことを示している場合には他の処理を行うことを決定することを特徴としたものである。
【００１７】
本発明の第８の技術手段は、第７の技術手段において、前記機器検出部は、前記検出を、前記設定された視聴予約の実行日時の所定時間前になったときに実行することを特徴としたものである。
【００１８】
本発明の第９の技術手段は、第７又は第８の技術手段において、前記設定された視聴予約についての前記他の処理は、前記設定された視聴予約を取り消す処理であることを特徴としたものである。
【００１９】
本発明の第１０の技術手段は、第７又は第８の技術手段において、前記設定された視聴予約についての前記他の処理は、前記設定された視聴予約を取り消すか否かを前記携帯端末機器のユーザに問い合わせ、問い合わせの結果、取り消す旨のユーザ操作を受け取った場合には前記設定された視聴予約を取り消し、取り消さない旨のユーザ操作を受け取った場合には前記設定された視聴予約をそのまま実行する処理であることを特徴としたものである。
【００２０】
本発明の第１１の技術手段は、第７又は第８の技術手段において、前記設定された視聴予約についての前記他の処理は、前記設定された視聴予約を取り消すか否か、並びに前記記録予約を設定する処理を代替処理として実行するか否かを、前記携帯端末機器のユーザに問い合わせ、問い合わせの結果、取り消す旨のユーザ操作を受け取った場合には前記設定された視聴予約を取り消し、取り消さない旨のユーザ操作を受け取った場合には前記設定された視聴予約をそのまま実行し、前記代替処理を実行する旨のユーザ操作を受け取った場合には前記設定された視聴予約を取り消して前記代替処理を実行する処理であることを特徴としたものである。
【発明の効果】
【００２１】
本発明に係るＡＶ機器によれば、設定した予約についての実行をユーザの居場所に応じて決定できるので、無駄にそのＡＶ機器を動作させることがないように適切に処理することができる。
【図面の簡単な説明】
【００２２】
【図１】本発明に係るＡＶ機器とそのＡＶ機器での処理に利用する携帯端末機器とでなるシステムの一構成例を示すブロック図である。
【図２】図１のシステムにおけるＡＶ機器として記録再生機器を採用した場合のシステム構成例を示すブロック図である。
【図３】図２のシステムにおける記録再生機器の処理例を説明するためのフロー図である。
【図４】図３に続くフロー図である。
【図５】図３及び図４の処理例に先立ち実行される端末登録処理を説明するための模式図である。
【図６】図３及び図４の処理例における端末検索処理を説明するための模式図である。
【図７】図３及び図４の処理例における問合せ処理を説明するための模式図である。
【図８】図１のシステムにおけるＡＶ機器がテレビ装置である場合の処理例を説明するためのフロー図である。
【図９】図８に続くフロー図である。
【図１０】図８及び図９の処理例に先立ち実行される端末登録処理を説明するための模式図である。
【図１１】図８及び図９の処理例における端末検索処理を説明するための模式図である。
【図１２】図８及び図９の処理例における問合せ処理を説明するための模式図である。
【発明を実施するための形態】
【００２３】
本発明に係るＡＶ機器は、放送番組コンテンツを記録する予約を設定し、設定した予約に従って記録処理を実行することが可能な機器であり、好ましくは放送番組コンテンツを視聴する予約を設定し、設定した予約に従って視聴処理を実行することも可能な機器である。記録処理とは放送番組コンテンツのＡＶデータを記憶装置に記録する処理であり、視聴処理とは放送番組コンテンツのＡＶデータを視聴用に出力する処理である。
【００２４】
なお、受信により視聴や記録の対象となる放送番組コンテンツは、テレビ放送番組のコンテンツに限らず、ラジオ番組のコンテンツなどであってもよい。つまり、放送番組コンテンツとしては、映像・音声データの双方が含まれても、音声データのみが含まれてもよい。但し、ラジオ番組のコンテンツの場合、正確には「視聴処理」の代わりに音声データを聴取用に出力する「聴取処理」が実行されることになる。
【００２５】
本発明に係るＡＶ機器としては、放送番組コンテンツを受信して出力するテレビ装置やラジオ装置が挙げられる。その他、本発明に係るＡＶ機器としては、記録再生機器やチューナ機器が挙げられる。記録再生機器は、放送番組コンテンツを受信して記録し、それを再生してテレビ装置（スピーカ付き）又はモニタ装置及びスピーカ機器に出力するレコーダ等の機器である。例えば、チューナ機器を接続又は搭載し且つ記録再生機能を搭載したゲーム機などの機器も、ここで言う記録再生機器に該当する。チューナ機器は、放送番組コンテンツを受信してテレビ装置又はモニタ装置及びスピーカ機器に出力するＳＴＢ（Set Top Box）等の機器である。例えば、チューナ付き無線ＬＡＮ（Local Area Network）ルータなどの機器も、ここで言うチューナ機器に該当する。
【００２６】
本発明に係るＡＶ機器がテレビ装置やラジオ装置やチューナ機器であった場合、設定された視聴予約に従って予約時間の到来によりチャンネルの切替を行い（無論、自機や出力のために接続された機器の電源がオフであればオンにする）、また、設定された記録予約に従って予約時間の到来により内蔵又は外付け接続された記憶装置に記録すること、若しくは、設定された記録予約に従って予約時間の到来により接続された記録再生機器に記録指示を出力することができる。記録再生機器の制御をはじめとする機器間での電源のオン／オフの制御や処理の指示については、例えば、ＨＤＭＩ（High-Definition Multimedia Interface）規格のＣＥＣ（Consumer Electronics Control）プロトコルに基づいて行うなどすればよい。
【００２７】
本発明に係るＡＶ機器が記録再生機器（或いはＡＶデータの再生機能をもった機器を接続可能な記録機器）であった場合、設定された記録予約に従って予約時間の到来によりチャンネルを切り替えてそのチャンネルのコンテンツを記録し、また、設定された視聴予約に従ってチャンネルの切替を行う。視聴予約の場合には、記録再生機器に接続されたテレビ装置又はモニタ装置及びスピーカ機器の電源がオフであればオンにし、そのテレビ装置又はモニタ装置及びスピーカ機器から記録再生機器で再生された映像・音声を出力する制御を行うことが望ましい。
【００２８】
なお、テレビ装置やラジオ装置やチューナ機器における記録処理については、記録予約の設定操作を受け付け予約情報を登録したこれらの機器が主体となって、記録再生機器に適時指示しながら本発明に係る処理を実行すればよい。但し、記録予約の設定を行うに際してその設定時に記録再生機器に記録予約を指示しておくような構成を採用した場合については、その指示に従って記録予約をした記録再生機器が本発明の主たる処理（後述する機器検出処理、決定処理、及びその決定処理に従った処理）を実行するように構成することもできる。この場合、この記録再生機器が本発明に係るＡＶ機器に該当することになる。
【００２９】
また、記録再生機器における視聴処理については、テレビ装置がチューナを有することから、視聴予約の設定操作を受け付け予約情報を登録したこの記録再生機器が主体となってテレビ装置に適時指示しながら本発明に係る処理を実行すればよい。但し、視聴予約の設定を行うに際してその設定時にテレビ装置に視聴予約を指示しておくような構成を採用した場合については、その指示に従って視聴予約をしたテレビ装置が本発明の主たる処理を実行するように構成することもできる。この場合、このテレビ装置が本発明に係るＡＶ機器に該当することになる。
【００３０】
図１を参照しながら、本発明に係るＡＶ機器について説明する。図１は、本発明に係るＡＶ機器とそのＡＶ機器での処理に利用する携帯端末機器とでなるシステムの一構成例を示すブロック図である。
【００３１】
図１に示すように、本発明に係るＡＶ機器１は、予約の設定を行う予約設定部２１及びそこで設定した予約を実行する予約実行部２４を有し、且つ本発明の主たる特徴として後述する機器検出部２２及び決定部２３を有する制御部１０を備える。
【００３２】
また、ＡＶ機器１は、上記の制御部１０、各種設定データを記憶するメモリ１１、放送番組コンテンツを保存する保存部１２、ユーザ操作を受け付ける操作部１３、外部との無線通信を行う無線通信部１４、及びＡＶデータに各種処理を施すＡＶデータ処理部１５を備える。保存部１２は、ＡＶ機器１が放送番組コンテンツの記録機能を有する場合に設けられる。なお、図１では、制御部１０に各部２１〜２４を含めた例を挙げているが、ＡＶ機器１が各部２１〜２４の機能を備えていればよい。
【００３３】
制御部１０は、ＡＶ機器１の全体の制御を行うためのものであり、ＣＰＵ（Central Processing Unit）、作業領域としてのＲＡＭ（Random Access Memory）、及び、制御プログラムを記録したＲＯＭ（Read Only Memory）等の記憶装置などのモジュールで構成される。ここで、制御プログラムとは、本発明に係る処理を含むＡＶ機器１の処理を、ＣＰＵに実行させるためのプログラムである。この制御プログラムは、これを記録した可搬の記録媒体として流通させるか、或いはインターネット等のネットワークを介して流通させるか、或いは放送波として送信することで流通させるなどして、ＣＰＵから実行可能な状態で上記記憶装置に記憶させることで、実装することができる。また、メモリ３１は、ＥＥＰＲＯＭ（Electrically Erasable Programmable Read Only Memory）等の不揮発性メモリである。
【００３４】
予約設定部２１及び予約実行部２４は、従来のＡＶ機器と同様に予約の設定及び実行を行う。つまり、予約設定部２１は、放送番組コンテンツを記録する予約（記録予約）を設定し、予約実行部２４は設定した記録予約に従って記録処理を実行する。また、好ましくは、予約設定部２１は、放送番組コンテンツを視聴する予約（視聴予約）を設定し、予約実行部２４は設定した視聴予約に従って視聴処理を実行する。なお、基本的に、本発明では記録処理並びにその予約が可能であればよいが、後述するように記録処理から視聴処理への変更が可能な構成では、当然、記録処理及び視聴処理が可能になっている。
【００３５】
具体的に予約設定部２１及び予約実行部２４での処理を説明する。
予約設定部２１は、ＡＶ機器１が表示装置をもたない機器である場合、番組表データから電子番組表を外部接続したテレビ装置又はモニタ装置に表示させるなどして、ユーザ操作に従い予約設定を行い、予約情報を予約データの一部としてメモリ１１に登録する。この予約情報には、少なくとも番組名、放送チャンネル、放送日時を含む。ＡＶ機器１が表示装置をもつ機器、つまりテレビ装置であった場合、電子番組表をその表示画面に表示する点が異なる。
【００３６】
また、ＡＶ機器１では、定期的な視聴や記録を行うための予約（所定期間毎に視聴や記録を繰り返す予約）を設定し、その予約に従って予約を実行することが可能になっている。このような定期的な予約の設定も、予約設定部２１が行う。そのため、予約設定部２１では、予約情報に、毎日適用するのか、毎週適用するのか、といった間隔を示す情報を含めるような設定を行うことが可能になっている。
【００３７】
例えば、電子番組表から視聴や記録を行いたい番組を選択して予約情報を登録し、その選択をトリガとしてその予約情報を変更するためのユーザインターフェース（ＵＩ）画像を表示させる。このＵＩ画像には、間隔を変更するための領域、より具体的には、一回だけ記録するのか、毎日するのか、毎週するのか（毎週何曜日にするのか）を変更するための領域を含んでおけばよい。そして、このＵＩ画像を表示時に操作部１３から受け付けたユーザ操作に従い、間隔を予約情報に書き込めばよい。なお、このように週毎の予約を行う可能性があるため、元々の予約情報に、放送日時として放送の日付、放送される時間帯だけでなく、放送される曜日も含めておくことが好ましい。
【００３８】
予約実行部２４は、メモリ１１の予約データを監視して予約の時間帯が到来したことを予約情報から検出した場合に、その予約情報のチャンネル及び時間帯に基づき、視聴予約の場合にはチューナ部での選局を指示し、記録予約の場合にはチューナ部での選局を指示すると共に、保存部１２への記録を行う。
【００３９】
定期的な予約である場合には、予約実行後、再度、予約設定部２１が設定された間隔で予約を設定すればよい。このような定期的な予約を行う予約情報に基づき予約実行部２４が記録を制御することにより、例えば連続ドラマのように、毎日或いは毎週などの間隔で定期的に放送されるシリーズ番組を繰り返し予約することができる。無論、予約実行部２４が記録を制御する予約は、定期的なものに限ったものではなく、一度限りの予約であってもよい。
【００４０】
次に、機器検出部２２について説明する。
機器検出部２２は、予め登録された携帯端末機器３がＡＶ機器１の設置位置から所定範囲に存在するか否かを検出する。登録は、メモリ１１に携帯端末機器３の機器番号やＭＡＣ（Media Access Control）アドレス等を端末データとして記録しておき、検出時にそれを読み出せばよい。機器検出部２２は、上記の検出を、設定された予約の実行日時（つまり、予約に従って放送番組コンテンツが記録処理及び／又は視聴処理される予定の日時）に行ってもよいが、後述の他の処理を実行するのが遅れるため、設定された予約の実行日時の所定時間前になったときに実行することが好ましい。なお、この所定時間は、予約が記録予約であった場合と視聴予約であった場合とで同じとしてよいが、異ならせてもよい。
【００４１】
また、機器検出部２２は、上記の検出を、無線通信を用いて実行すること、つまり無線通信部１４を利用して携帯端末機器３の検出を行うことが好ましい。このように機器間で直接通信を行うことで、機器の移動に柔軟に対応することができる。
【００４２】
無線通信部１４は、例えばＩＥＥＥ（The Institute of Electrical and Electronics Engineers, Inc.）８０２．１１規格の無線ＬＡＮを採用したＷｉＦｉ（登録商標。以下同様。）を用いた無線通信を行う。例えば、ＷｉＦｉの無線通信の仕組みをそのままＰ２Ｐ（Pear to Pear）接続に利用したＷｉＦｉ Ｄｉｒｅｃｔを用い、受信強度から携帯端末機器３の現在地（ユーザの現在地）を検出する。これにより、ＡＶ機器１が設置された部屋内にユーザが居るか否かまでの精度で検出を行うことができる。無論、ＷｉＦｉの範囲内にないときには携帯端末機器３は検出できなかったことになる。その他、家庭内に設置されている無線ＬＡＮルータで携帯端末機器３及びＡＶ機器１が同時に検出されたか否かで、ＡＶ機器１と携帯端末機器３が同一部屋内にあるか否かを検出することができる。
【００４３】
その他、無線通信部としては、ＺｉｇＢｅｅ（登録商標）、Ｂｌｕｅｔｏｏｔｈ（登録商標）など、他の無線通信方式を採用することもできる。また、ＡＶ機器１側から携帯端末機器３に位置を問い合わせて、携帯端末機器３がＧＰＳで自身の位置を取得して返信するようにしてもよい。また、ＡＶ機器１側から、ネットワーク上に設けたサーバに携帯端末機器３の位置を問い合わせて取得するようにしてもよく、そのような形態においては、携帯端末機器３がそのサーバからの要求に応じてＧＰＳで自身の位置を取得してサーバに返信するようにしておけばよい。なお、ＧＰＳを用いる場合、ＧＰＳにより大体の位置検出を行った後、ホームネットワークのＷｉＦｉを用いて位置を特定してもよい。無論、ＷｉＦｉの範囲内にないときには携帯端末機器３は検出できなかったことになる。
【００４４】
但し、ＧＰＳの位置情報に基づき所定範囲に存在するかを検出するためには、ＡＶ機器１でも自身の位置を登録しておく必要がある。よって、ＡＶ機器１を移動した際等に再登録が必要となる場合がある。これに対し、ＷｉＦｉ等の無線通信に基づき機器検出を行う場合には、ＡＶ機器１と携帯端末機器３が直接通信するためＡＶ機器１を移動しても検出ができるため、再登録などの処理は必要なく、ＧＰＳの位置情報を用いるより好ましいと言える。また、無線通信を用いる場合には、ＧＰＳの位置情報を用いる場合に比べて、携帯端末機器３において位置情報取得のための通信量が増加して電池消費量が増大するようなこともなく、現在位置の判定を行う分の時間が必要なくなるため、好ましいと言える。
【００４５】
機器検出部２２での検出対象となる携帯端末機器３としては、携帯電話機（スマートフォンと呼ばれるものも含む）、モバイルＰＣ（Personal Computer）、タブレット端末、ＰＤＡ（Personal Digital Assistant）などが挙げられる。
【００４６】
携帯端末機器３は、その全体の制御を行う制御部３０、各種設定データを記憶するメモリ３１、表示部３２、ユーザ操作を受け付ける操作部３３、及び外部との無線通信を行う無線通信部３４を備える。メモリ３１は、ＥＥＰＲＯＭ等の不揮発性メモリである。表示部３２は、操作部３３用のＵＩ画像を表示することもできる。この場合、表示部３２及び操作部３３はタッチパネル付きの表示部として構成する。また、制御部３０の構成については、制御部１０と同様に、ＣＰＵ等で構成され、携帯端末機器３の制御プログラムが実行可能になっている。
【００４７】
次に、ＡＶ機器１の決定部２３について説明する。
決定部２３は、機器検出部２２での携帯端末機器３の検出結果に応じて、設定された予約をそのまま実行するか他の処理を行うかを決定する。なお、定期的な予約の場合には、決定部２３では毎回判定を行い、その回だけに限ってその決定に従った処理を行えばよい。決定部２３がそのまま実行することを決定した場合には、特にその後の処理は予約設定部２１での設定内容を予約実行部２４が実行するだけである。一方で、決定部２３が他の処理を実行することを決定した場合には、決定部２３は、後述するように予約設定部２１や予約実行部２４等に対して上記他の処理を実行するように指示する。上記他の処理については後述する。
【００４８】
以上、ＡＶ機器１では、設定した予約についての実行をユーザの居場所に応じて決定できるので、無駄にそのＡＶ機器１を動作させることがないように適切に処理することができ、無駄にＡＶ機器１を動作させることがなくなるため消費電力を低減できる。記録予約や視聴予約の場合、適切に記録予約や視聴予約の機能を使い分けることができるため、見逃しや視聴と重複する記録を避けることができる。このような例については後述する。
【００４９】
次に、図２を参照しながら、ＡＶ機器１として記録再生機器を採用する場合の構成例を説明する。図２は、図１のシステムにおけるＡＶ機器として記録再生機器を採用した場合のシステム構成例を示すブロック図である。
【００５０】
図２で例示する記録再生機器１は、上述の制御部１０及びメモリ１１を備えると共に、ＡＶデータ処理部１５の一例として、チューナ部１５ａ、ＡＶデータ調整部１５ｂ、出力部１５ｄ、及び記録再生部１５ｃを備える。また、記録再生機器１は、操作部１３の一例として赤外線受信部１３を備え、保存部１２の一例としてＨＤＤ（Hard disk drive）１２を備える。
【００５１】
メモリ１１は、チューナ部１５ａで復号した番組情報のデータから制御部１０で作成した電子番組表のデータである番組表データや、制御部１０における予約設定部２１で設定した予約情報のデータである予約データ、さらには携帯端末機器３を登録した端末データなどを格納する。
【００５２】
赤外線受信部１３は、リモートコントローラ（リモコン装置）１ｒから発せられた赤外線の操作信号を受信し、制御部１０に伝える。制御部１０では、この操作信号に対応した処理を実行するように記録再生機器１の各部を制御する。また、赤外線受信部１３の他に、操作部１３として、記録再生機器１の本体に操作ボタンを設けてもよいし、また、記録再生機器１に接続されたテレビ装置２等の他のＡＶ機器からの操作信号をＨＤＭＩケーブル等を介して受け付ける構成を採用することで実装してもよい。無論、複数種類の操作部を記録再生機器１に同時に実装することもできる。
【００５３】
チューナ部１５ａは、アンテナで受信したテレビ放送の放送波を復調、復号し、放送番組コンテンツについての映像・音声データや番組情報等の他のデータを、ＡＶデータ調整部１５ｂに渡す。ＡＶデータ調整部１５ｂは、復号した放送番組コンテンツにおける映像データ及び音声データに対し、必要に応じて画質調整処理や音質調整処理を施す。
【００５４】
ＨＤＤ１２は、予約情報に基づき予約実行部２４から記録を指示された放送番組コンテンツや、通常の記録開始ボタンの押下により記録が開始された放送番組コンテンツ、或いは他のＡＶ機器やＰＣ（パーソナルコンピュータ）などの機器から送信されたコンテンツなどを保存する。
【００５５】
記録再生部１５ｃは、放送番組コンテンツの記録や他の機器から転送されたコンテンツの記録をＨＤＤ１２に対して行う制御を行う。放送番組コンテンツについては予約実行部２４からの指示に基づいて記録を制御することもある。また、記録再生部１５ｃは、ＨＤＤ１２等に記録されたコンテンツを読み出して再生し、出力部１５ｄに渡す制御も行う。なお、再生時に更なる画質や音質の調整が必要であれば、ＡＶデータ調整部１５ｂを介して出力部１５ｄに渡せばよい。
【００５６】
出力部１５ｄは、記録再生機器１に接続されたテレビ装置２やモニタ装置といった表示装置に映像・音声データを出力するためのケーブル用の端子又は無線通信部でなる。この無線通信部は、基本的に、機器検出部２２での検出に用いる上記無線通信部１４とは異なるものとするが、兼用することもできる。テレビ装置２は、画像を表示する液晶パネルや有機エレクトロルミネッセンスのパネルなどの表示パネルを備え、音声を出力するスピーカも備えている。また、出力部１５ｄから出力対象の映像・音声データは、チューナ部１５ａからＡＶデータ調整部１５ｂを経て出力された放送番組コンテンツのＡＶデータであってもよいし、ＨＤＤ１２内に格納され記録再生部１５ｃにより再生された放送番組コンテンツのＡＶデータであってもよい。
【００５７】
このような構成により、制御部１０（制御部１０の予約実行部２４）は、メモリ１１の予約データを監視して予約の時間帯が到来したことを予約情報から検出した場合に、その予約情報のチャンネル及び時間帯に基づき、チューナ部１５ａでの選局を指示すると共に、記録再生部１５ｃに対して受信した放送番組コンテンツをＨＤＤ１２に記録するように指示する。なお、記録先はＨＤＤ１２に限ったものではなく、予約情報の一部として記録先も設定可能にしておくことが好ましい。そして、図１で説明したように、制御部１０の機器検出部２２及び決定部２３が、携帯端末機器３の検出処理及び検出結果に応じた処理を実行する。
【００５８】
次に、図２に加えて図３〜図７を参照しながら、図１で説明したＡＶ機器１が図２で説明したように記録再生機器１である場合について、その処理例を説明する。図３は図２のシステムにおける記録再生機器１の処理例を説明するためのフロー図、図４は図３に続くフロー図、図５は図３及び図４の処理例に先立ち実行される端末登録処理を説明するための模式図、図６は図３及び図４の処理例における端末検索処理を説明するための模式図、図７は図３及び図４の処理例における問合せ処理を説明するための模式図である。
【００５９】
まず、図５に示すように、記録再生機器１においてリモコン装置（図２のリモコン装置１ｒ）から携帯端末機器３の登録操作を行った場合で、記録再生機器１が無線通信部１４を用いて未登録の携帯端末機器３を見つけた場合、出力部１５ｄから、ＵＩ画像２０のような携帯端末機器３が見つかったので登録するか否かをユーザに問い合わせる画像を表示させる。なお、記録再生機器１が未操作でも自動的に無線通信部１４を用いて未登録の携帯端末機器３を見つけた場合に、このような処理を行ってもよい。このＵＩ画像２０に対して、ユーザが登録する旨の操作（「はい」を選択する操作）を行った場合、制御部１０はその携帯端末機器３の端末データをメモリ１１に登録する。一方で、登録しない旨の操作（「いいえ」を選択する操作）を行った場合には、登録は行わない。
【００６０】
このような端末登録処理がなされた状態で、図３及び図４で示す処理が実行される。ここでは、記録再生機器１において、映像の記録予約が設定されていること、つまり録画予約が設定されていることを前提に説明する。以下の処理は基本的に記録再生機器１の制御部１０が主体となって行う。
【００６１】
まず、記録再生機器１は、予約動作実行開始時に無線通信部１４を介して、メモリ１１に登録された携帯端末機器３（対象の携帯端末機器３）が探索範囲内に存在するか否かの確認、つまり携帯端末機器３の探索を行う（ステップＳ１）。この探索は、図６に示すように、記録再生機器１が無線電波を発信して無線通信を試み、対象の携帯端末機器３がその無線電波の届く範囲内にあるかを検出することで行っている。探索等の時間を考慮して、例えば本発明の処理を搭載しない記録再生機器が３分前であった場合には、記録再生機器１では１０分前にするなど、余裕をもって少し早めに予約動作を開始することが好ましい。
【００６２】
次に、対象の携帯端末機器３が見つかったか否かを判定し（ステップＳ２）、見つかった場合にはさらにその電波強度（受信強度）を測定し（又は読み出し）（ステップＳ３）、受信強度が一定値以上であるか否かによって在室であるか室外であるかを判定する（ステップＳ４）。ステップＳ４では、受信強度が一定値以上か否かで、所定範囲に携帯端末機器３が存在するか否かを検出している。ステップＳ４でＹＥＳの場合、つまり携帯端末機器３が在室であった場合（携帯端末機器３のユーザが在室とみなす）、在室時の録画予約に関する設定が存在するか否かを判定する（ステップＳ５）。
【００６３】
この設定は、「在室時に録画予約を解除する」又は「在室時に視聴予約に切り替える」といった処理を事前にユーザが決めて登録した在室時の録画予約の変更に関する事前設定を指し、この設定自体はメモリ１１に記憶させておけばよい。
【００６４】
ステップＳ５でＮＯの場合、図７のＵＩ画像３７で例示するような問合せ画像（お知らせ画像）を携帯端末機器３の表示部３２に無線通信部１４を介して表示させる処理を行い（ステップＳ６）、これによりユーザに選択を促す。
【００６５】
ＵＩ画像３７は、図１に示したようにメモリ３１にＵＩデータとして保存しておき、同じくメモリ３１に格納されたＡＶ機器データに合致するＡＶ機器からの表示指示があればＵＩデータを読み出して、表示部３２に表示させればよい。ＡＶ機器データとは、ＡＶ機器１（ここでは記録再生機器１）の機器番号やＭＡＣアドレス等を予め登録したデータであり、端末登録処理時に携帯端末機器３側に登録しておけばよい。ＵＩ画像３７には、「予約した番組が間もなく始まります。このまま録画予約を実行しますか？」といった問合せの文章と共に、選択肢として「はい」、「いいえ（ＴＶで視聴）」、「いいえ（録画を取消）」といった選択領域を表示させておけばよい。
【００６６】
ここで、携帯端末機器３に問い合わせを行う例を挙げたが、テレビ装置２にＵＩ画像３７のような問合せ画像を表示させてもよいし、双方に表示させてもよい。双方に表示させた場合には一方からの返答を得たら他方のＵＩ画像も消せばよい。
【００６７】
次に、ユーザが設定を選択したか否かを判定する（ステップＳ７）。ユーザによる選択は、携帯端末機器３に表示させた場合には無線通信部１４を介して、テレビ装置２に表示させた場合にはリモコン装置１ｒから受け付ければよい。この判定は選択がなされない場合にはＵＩ画像３７の表示から予約開始時刻まで待つ。つまり、ステップＳ７でＮＯの場合、予約開始時刻になったか否かを判定し（ステップＳ８）、予約開始時刻になった場合（ステップＳ８でＹＥＳの場合）、録画予約を実行する（ステップＳ９）。
【００６８】
ステップＳ５でＹＥＳの場合、並びにステップＳ７でＹＥＳの場合には、事前設定内容又はユーザ選択内容が、録画予約を解除する設定か否かを判定し（ステップＳ１０）、ＹＥＳの場合には録画予約を取り消す（ステップＳ１１）。よって、ＵＩ画像３７に対し、「いいえ（ＴＶで視聴）」、「いいえ（録画を取消）」のいずれかが選択された場合にはステップＳ１１の処理がなされる。
【００６９】
ステップＳ１０でＮＯの場合、並びにステップＳ１１の処理後には、事前設定内容又はユーザ選択内容が、視聴予約に切り替える設定か否かを判定し（ステップＳ１２）、ＹＥＳの場合には録画予約を視聴予約に変更し（ステップＳ１３）、予約時刻の到来により視聴予約を実行する（ステップＳ１４）。ステップＳ１２でＮＯの場合にはそのまま処理を終了する。よって、ＵＩ画像３７に対し、「いいえ（ＴＶで視聴）」が選択された場合にはステップＳ１３，Ｓ１４の処理がなされる。このようにして、ユーザの操作や事前設定内容に従って、録画予約の取り消しや視聴予約への変更等を行う。
【００７０】
一方で、ステップＳ２でＮＯの場合、つまり携帯端末機器３が探索範囲内に存在しない場合や、ステップＳ４でＮＯの場合、つまり携帯端末機器３が自室（記録再生機器１が設置された部屋）に存在しない場合には、ユーザが不在と判断し、そのまま録画予約を実行する（ステップＳ９）。
【００７１】
このような処理により、記録予約に対して在宅時に記録処理から視聴処理への変更が可能となり、不要な記録処理を抑制できる。また、携帯端末機器３又はテレビ装置２に予約情報に関する問合せ画像を表示することで、見逃しの防止にもなる。
【００７２】
また、ステップＳ１〜Ｓ４で所定範囲に携帯端末機器３が存在することが分かった場合（好ましくは、さらに録画予約に関する事前設定が存在しない場合）には、ユーザが、記録予約を行った放送番組コンテンツと同じチャンネルの番組を視聴しているか否かを判定し、視聴している場合には、録画予約を取り消してもよい。また、別のチャンネルの番組を視聴している場合には、ステップＳ６のような問合せ画像の表示を行ってもよいし、行わずにそのまま録画予約を行うようにしてもよい。
【００７３】
次に、図８〜図１２を参照しながら、図１で説明したＡＶ機器１がテレビ装置である場合について、その処理例を説明する。図８は図１のシステムにおけるＡＶ機器がテレビ装置である場合の処理例を説明するためのフロー図、図９は図８に続くフロー図、図１０は図８及び図９の処理例に先立ち実行される端末登録処理を説明するための模式図、図１１は図８及び図９の処理例における端末検索処理を説明するための模式図、図１２は図８及び図９の処理例における問合せ処理を説明するための模式図である。
【００７４】
この例では、本発明に係るＡＶ機器１としてのテレビ装置を「テレビ装置４」とし、記録予約に変更した場合に記録予約を行う記録再生機器を「記録再生機器５」として説明する。また、この例では、テレビ装置４には記録再生機器５の他に、インターネット等の外部ネットワークにも接続されているものとする。
【００７５】
まず、図１０に示すように、テレビ装置４においてそのリモコン装置から携帯端末機器３の登録操作を行った場合で、テレビ装置４が無線通信部１４（図１を参照）を用いて未登録の携帯端末機器３を見つけた場合、ＵＩ画像４０のような携帯端末機器３が見つかったので登録するか否かをユーザに問い合わせる画像を表示させる。なお、テレビ装置４が未操作でも自動的に無線通信部１４を用いて未登録の携帯端末機器３を見つけた場合に、このような処理を行ってもよい。このＵＩ画像４０に対して、ユーザが登録する旨の操作（「はい」を選択する操作）を行った場合、テレビ装置４の制御部（図１の制御部１０）はその携帯端末機器３の端末データを内部メモリ（図１のメモリ１１）に登録する。一方で、登録しない旨の操作（「いいえ」を選択する操作）を行った場合には、登録は行わない。
【００７６】
このような端末登録処理がなされた状態で、図８及び図９で示す処理が実行される。ここでは、テレビ装置４において、映像の視聴予約が設定されていることを前提に説明する。以下の処理は基本的にテレビ装置４の制御部が主体となって行う。
【００７７】
まず、テレビ装置４は、予約動作実行開始時に無線通信部（図１の無線通信部１４）を介して、内部メモリに登録された携帯端末機器３（対象の携帯端末機器３）が探索範囲内に存在するか否かの確認、つまり携帯端末機器３の探索を行う（ステップＳ２１）。この探索は、図１１に示すように、テレビ装置４が無線電波を発信して無線通信を試み、対象の携帯端末機器３がその無線電波の届く範囲内にあるかを検出することで行っている。探索等の時間を考慮して、例えば本発明の処理を搭載しないテレビ装置が３分前であった場合には、テレビ装置４では１０分前にするなど、余裕をもって少し早めに予約動作を開始することが好ましい。
【００７８】
次に、対象の携帯端末機器３が見つかったか否かを判定し（ステップＳ２２）、見つかった場合にはさらにその電波強度（受信強度）を測定し（又は読み出し）（ステップＳ２３）、受信強度が一定値以上であるか否かによって在室であるか室外であるかを判定する（ステップＳ２４）。ステップＳ２４では、受信強度が一定値以上か否かで、所定範囲に携帯端末機器３が存在するか否かを検出している。ステップＳ２４でＹＥＳの場合、つまり携帯端末機器３が在室であった場合（携帯端末機器３のユーザが在室とみなす）、そのまま視聴予約を実行する（ステップＳ２５）。ステップＳ２５では、予約開始時刻の到来に合わせて視聴処理を実行することになる。
【００７９】
一方で、ステップＳ２４でＮＯの場合、つまり携帯端末機器３が探索範囲内に存在しない場合や、ステップＳ２４でＮＯの場合、つまり携帯端末機器３が自室（テレビ装置４が設置された部屋）に存在しない場合には、ユーザが不在と判断し、不在時の視聴予約に関する設定が存在するか否かを判定する（ステップＳ２６）。
【００８０】
この設定は、「不在時に視聴予約を解除する」又は「不在時に録画予約に切り替える」といった処理を事前にユーザが決めて登録した不在時の視聴予約の変更に関する事前設定を指し、この設定自体はテレビ装置４の内部メモリに記憶させておけばよい。
【００８１】
ステップＳ２６でＮＯの場合、図１２のＵＩ画像３８で例示するような問合せ画像（お知らせ画像）を携帯端末機器３の表示部３２に外部ネットワーク及び基地局又はアクセスポイント６を介して表示させる処理を行い（ステップＳ２７）、これによりユーザに選択を促す。なお、ユーザ不在時ではあるが、ユーザの同居人が居る可能性もあるので、テレビ装置４にも問合せ画像を表示させてもよい。
【００８２】
ＵＩ画像３８は、図１に示したようにメモリ３１にＵＩデータとして保存しておき、同じくメモリ３１に格納されたＡＶ機器データに合致するＡＶ機器からの表示指示があればＵＩデータを読み出して、表示部３２に表示させればよい。ＡＶ機器データとは、ＡＶ機器１（ここではテレビ装置４）の機器番号やＭＡＣアドレス等を予め登録したデータであり、端末登録処理時に携帯端末機器３側に登録しておけばよい。ＵＩ画像３８には、「視聴予約した番組が間もなく始まります。このまま視聴予約を実行しますか？」といった問合せの文章と共に、選択肢として「はい」、「いいえ（録画する）」、「いいえ（視聴を取消）」といった選択領域を表示させておけばよい。
【００８３】
次に、ユーザが設定を選択したか否かを判定する（ステップＳ２８）。ユーザによる選択は、外部ネットワークを介して受け付ければよい。この判定は選択がなされない場合にはＵＩ画像３８の表示から予約開始時刻まで待つ。つまり、ステップＳ２８でＮＯの場合、予約開始時刻になったか否かを判定し（ステップＳ２９）、予約開始時刻になった場合（ステップＳ２９でＹＥＳの場合）、視聴予約を実行する（ステップＳ２５）。
【００８４】
ステップＳ２６でＹＥＳの場合、並びにステップＳ２８でＹＥＳの場合には、事前設定内容又はユーザ選択内容が、視聴予約を解除する設定か否かを判定し（ステップＳ３０）、ＹＥＳの場合には視聴予約を取り消す（ステップＳ３１）。よって、ＵＩ画像３８に対し、「いいえ（録画する）」、「いいえ（視聴を取消）」のいずれかが選択された場合にはステップＳ３１の処理がなされる。
【００８５】
ステップＳ３０でＮＯの場合、並びにステップＳ３１の処理後には、事前設定内容又はユーザ選択内容が、録画予約に切り替える設定か否かを判定し（ステップＳ３２）、ＹＥＳの場合には視聴予約を録画予約に変更し（ステップＳ３３）、予約時刻の到来により録画予約を実行する（ステップＳ３４）。ステップＳ３２でＮＯの場合にはそのまま処理を終了する。よって、ＵＩ画像３８に対し、「いいえ（録画する）」が選択された場合にはステップＳ３３，Ｓ３４の処理がなされる。このようにして、ユーザの操作や事前設定内容に従って、視聴予約の取り消しや録画予約への変更等を行う。
【００８６】
ステップＳ３４に関し、録画予約は、視聴予約から変更した際にＨＤＭＩ規格のＣＥＣプロトコルを利用して記録再生機器５に記録指示するか、若しくは記録予約指示を行う。後者の場合で、記録再生機器５が図２〜図７で説明したような処理が可能な機器である場合には、そのような機器検出や決定処理は不要である旨を記録再生機器５に伝えればよい。また、テレビ装置２側に録画機能があり、ＨＤＤ等の保存部が接続されているか内蔵されている場合はそれを利用して、録画してもよい。
【００８７】
このような処理により、視聴予約に対して在宅時に視聴処理から記録処理への変更が可能となり、不要な視聴処理（誰も居ないのに電源がオンされて番組が表示される処理）を抑制できる。また、携帯端末機器３に予約情報に関する問合せ画像を表示することで、取り逃しの防止にもなる。
【００８８】
以上、図２〜図７を参照して図１のＡＶ機器１が記録再生機器である場合の例を説明し、図８〜図１２を参照して図１のＡＶ機器１がテレビ装置である場合の例を説明した。ここで、図３及び図４においてステップＳ４でＹＥＳの場合にステップＳ１１の処理を実行する例や、図８及び図９においてステップＳ２４でＮＯの場合にステップＳ３１の処理を実行する例を示したように、図１の決定部２３における上記他の処理は、設定された予約を取り消す処理の選択を含むことが好ましい。無論、選択を経ずに設定された予約を取り消すように構成しても、つまり上記他の処理が設定された予約を取り消す処理であるように構成してもよい。
【００８９】
また、図３及び図４においてステップＳ４でＹＥＳの場合にステップＳ６，Ｓ１０，Ｓ１１の処理を実行する例や、図８及び図９においてステップＳ２４でＮＯの場合にステップＳ２７，Ｓ３０，Ｓ３１の処理を実行する例を示したように、図１の決定部２３における上記他の処理は、次のような処理であることが好ましい。すなわち、上記他の処理は、設定された予約を取り消すか否かを携帯端末機器３のユーザに問い合わせ、問い合わせの結果、取り消す旨のユーザ操作を受け取った場合には設定された予約を取り消し、取り消さない旨のユーザ操作を受け取った場合には設定された予約をそのまま実行する処理であることが好ましい。
【００９０】
また、図３及び図４においてステップＳ４でＹＥＳの場合にステップＳ６，Ｓ１０〜Ｓ１４の処理を実行する例や、図８及び図９においてステップＳ２４でＮＯの場合にステップＳ２７，Ｓ３０〜Ｓ３４の処理を実行する例を示したように、図１の決定部２３における上記他の処理は、次のような処理であることが好ましい。
【００９１】
すなわち、上記他の処理は、設定された予約を取り消すか否か、並びに設定された予約と異なる種類の予約を設定する処理（設定された予約が記録予約であった場合には視聴予約を設定する処理、設定された予約が視聴予約であった場合には記録予約を設定する処理）を代替処理として実行するか否かを、携帯端末機器３のユーザに問い合わせ、問い合わせの結果、取り消す旨のユーザ操作を受け取った場合には設定された予約を取り消し、取り消さない旨のユーザ操作を受け取った場合には設定された予約をそのまま実行し、代替処理を実行する旨のユーザ操作を受け取った場合には設定された予約を取り消して上記代替処理を実行する処理である。無論、この例では、ＡＶ機器１が、記録予約と視聴予約の双方に対応している必要がある。つまり、ＡＶ機器１が、放送番組コンテンツを記録する予約を設定し、設定した予約に従って記録処理を実行することが可能で、且つ、放送番組コンテンツを視聴する予約を設定し、設定した予約に従って視聴処理を実行することが可能である必要がある。
【００９２】
なお、代替処理により視聴予約から記録予約に変更された場合、若しくは代替処理により記録予約から視聴予約に変更された場合には、上述した所定時間を視聴予約と記録予約とで同じにしておくなどにより、最初に設定された予約に関してのみ検出及び決定を実行でき、代替処理による設定に関しては既に設定時に上述した所定時間内に入っているため検出及び決定を実行しないで済む。若しくは、代替処理に対しては検出及び決定を実行しないように決めておいても、最初に設定された予約に関してのみ検出及び決定を実行できる。
【００９３】
以上の説明では、テレビ装置と記録再生機器とを含むシステムにおいては、基本的に予約情報を予約データとして登録した方が主体となって処理を行うことを前提に説明した。但し、最初に予約設定がなされた側の機器が主体となって処理を行うか、実際に予約設定が登録されてその予約が実行される機器（例えば、視聴予約であればテレビ装置、記録予約であれば記録再生機器）が主体となって処理を行うかは、事前設定で決めておけばよい。
【００９４】
ところで、無線通信部１４等を備えず機器検出ができないように構成するＡＶ機器も存在する。そのようなＡＶ機器（テレビ装置／記録再生機器）の場合には、機器検出部２２が接続され且つ無線通信部を有する他の機器（それぞれ記録再生機器／テレビ装置）に携帯端末機器３の検出を依頼してその検出結果を受信するようにしてもよい。若しくは、そのようなＡＶ機器（テレビ装置／記録再生機器）の場合には、予約情報が登録された場合に他方の機器（それぞれ記録再生機器／テレビ装置）に本発明に係る処理を全て依頼するような機能だけ持たせてもよい。
【００９５】
また、以上の説明では、携帯端末機器のユーザについて特に登録された携帯端末機器が１つでもＡＶ機器の近くで検出できればよいことを前提とした。このような前提では、携帯端末機器が複数登録されていた場合には、問合せを全ての携帯端末機器に送信すればよい。
【００９６】
一方で、予約を行う際にそのユーザが特定できれば、他のユーザの携帯端末機器の現在地に拘わらず、その予約を設定したユーザが居るか不在かで処理を分けることができる。これにより、必要なユーザにだけ問合せを行うことなどが可能となる。
【００９７】
例えば、予約時に携帯端末機器をリモコン装置の代わりに用い、赤外線通信や他の近距離通信の技術により予約操作を行った場合には、その予約情報にその携帯端末機器を関連付けるか含めるとよい。リモコン装置から予約操作を行う場合には、リモコン装置にユーザを指定するボタンを設けておいてそのボタンを押してから予約操作を行うか、或いは、リモコン装置で予約を行う際にユーザ名を指定して予約設定を行うことが可能にしておけばよい。前者の場合には、携帯端末機器の登録時にボタンを関連付けて登録を行っておけばよい。後者の場合には、携帯端末機器の登録時にユーザ名を関連付けて登録を行っておけばよい。
【符号の説明】
【００９８】
１…ＡＶ機器（記録再生機器）、１ｒ…リモコン装置、２，４…テレビ装置、３…携帯端末機器、５…記録再生機器、６…基地局又はアクセスポイント、１０…制御部、１１…メモリ、１２…保存部（ＨＤＤ）、１３…操作部（赤外線受信部）、１４…無線通信部、１５…ＡＶデータ処理部、１５ａ…チューナ部、１５ｂ…ＡＶデータ調整部、１５ｃ…記録再生部、１５ｄ…出力部、２０，３７，３８，４０…ＵＩ画像、２１…予約設定部、２２…機器検出部、２３…決定部、２４…予約実行部、３０…携帯端末機器の制御部、３１…携帯端末機器のメモリ、３２…携帯端末機器の表示部、３３…携帯端末機器の操作部、３４…携帯端末機器の無線通信部。
【図１】
2014011527.tif 000003
【図２】
2014011527.tif 000004
【図３】
2014011527.tif 000005
【図４】
2014011527.tif 000006
【図５】
2014011527.tif 000007
【図６】
2014011527.tif 000008
【図７】
2014011527.tif 000009
【図８】
2014011527.tif 000010
【図９】
2014011527.tif 000011
【図１０】
2014011527.tif 000012
【図１１】
2014011527.tif 000013
【図１２】
2014011527.tif 000014